(57)【要約】【課題】骨盤の自然な開閉運動を阻害せずに安定した動きをサポートするガードルの提供。【解決手段】背部の仙骨と対応する位置に仙骨押さえ片４を装着し、前部の仙骨押さえ片４と対向する位置に腹部押さえ片を装着する。仙骨押さえ片４は、身生地より厚い布片の内部両側に、背骨を挟むようにそれぞれボーンを埋設して成り、下端中央が頂点となる五角形状に形成して、その下端中央部を他の部分より厚い仙尾押さえ部としても良い。腹部押さえ片は、左右対称となるよう斜めに傾斜して、丹田に相当する位置で交差する２本の伸縮ベルトとすることがある。【選択図】図１
2008184704.tif 000002
【特許請求の範囲】
【請求項１】
背部の仙骨と対応する位置に仙骨押さえ片を装着し、前部の前記仙骨押さえ片と対向する位置に腹部押さえ片を装着したことを特徴とするガードル。
【請求項２】
前記仙骨押さえ片は、ガードルの身生地より厚い布片の内部両側に、背骨を挟むようにそれぞれボーンを埋設して成る請求項１に記載のガードル。
【請求項３】
前記仙骨押さえ片は、下端中央が頂点となる五角形状とし、その下端中央部を他の部分より厚い仙尾押さえ部とした請求項１又は２に記載のガードル。
【請求項４】
前記腹部押さえ片は、左右対称となるよう斜めに傾斜して、丹田に相当する位置で交差する２本の伸縮ベルトより成る請求項１〜３のいずれかに記載のガードル。
【発明の詳細な説明】
【技術分野】
【０００１】
本発明は、骨盤の動きを助けるガードルに関する。
【背景技術】
【０００２】
日常生活の癖や筋力の低下によって骨盤が歪むと、姿勢が悪くなって美容上の問題があるばかりか、股関節の動きが悪くなったり、身体の一部に負担が掛かって、肩こりや腰痛を引き起こすなど、健康にも悪影響を与えかねない。
このような事態を防ぐために、腰周りを取り巻くように伸縮性のあるバンドを装着し、骨盤を固定して歪みやズレを矯正するガードルが種々提案されている（特許文献１及び特許文献２参照）。
【０００３】
ところで、骨盤は、仙骨とその左右に張り出した腸骨とで立体的に形成され、腸骨が仙骨の上をゆっくりスライドすることで開閉運動をしている。腸骨が背中側に上昇したときに骨盤が閉じて、骨盤内のスペースが狭くなる。また、腸骨が下垂して骨盤が開くと、骨盤内のスペースが広がる。
そして、骨盤は、閉じていく時期と開いていく時期とが約二週間ずつ交互に訪れると共に、朝閉じて夜間に広がる一日周期で開閉を繰り返し、睡眠と覚醒、生殖機能、排泄機能等をバランス良く維持している。
ところが、上記従来のガードルのように、伸縮性のあるバンドで骨盤を取り巻いてしまうと、骨盤の自然な動きが押さえ込まれ、開閉運動が阻害されて、骨盤内の臓器の働きが悪くなるばかりか、生活のリズムにも悪影響を与える。
【０００４】
【特許文献１】実用新案登録第３１０２７４２号公報
【特許文献２】特開２０００−１３５２３３号公報
【発明の開示】
【発明が解決しようとする課題】
【０００５】
本発明が解決しようとする課題は、骨盤の自然な動きを阻害することなく安定した動きをサポートするガードルの提供にある。
【課題を解決するための手段】
【０００６】
本発明のガードルは、背部の仙骨と対応する位置に仙骨押さえ片を装着し、前部の前記仙骨押さえ片と対向する位置に腹部押さえ片を装着してある。
前記仙骨押さえ片は、ガードルの身生地より厚い布片の内部両側に、背骨を挟むようにそれぞれボーンを埋設して形成すると良い。
前記仙骨押さえ片は、下端中央が頂点となる五角形状とし、その下端中央部を他の部分より厚い仙尾押さえ部としても良い。
前記腹部押さえ片は、左右対称となるよう斜めに傾斜して、丹田に相当する位置で交差する２本の伸縮ベルトとすることがある。
【発明の効果】
【０００７】
請求項１に係る発明によれば、着用するだけで骨盤の開閉運動の中心となる仙骨を前後から挟むように押さえるので、骨盤の動きを阻害することなく、仙骨がフラットな位置に支持されて仙腸関節の左右差が改善し、この結果、骨盤の歪みが矯正されて開閉運動が安定する。また、仙骨部分を暖めることもできる。
請求項２に係る発明によれば、背骨の両側を押さえて、骨盤が左右バランスよく開閉するのを助ける。
請求項３に係る発明によれば、女性器官へ通じる神経が集中した仙尾部分を刺激して、これら器官の機能を整えることができる。
請求項４に係る発明によれば、丹田を刺激すると共に、腹部を押さえて高い補整効果が得られる。
【発明を実施するための最良の形態】
【０００８】
以下、ロングタイプのガードルである実施例を図面に基づいて詳細に説明する。図１は、ガードルを裏返して背部から見た図、図２は、仙骨押さえ片の背面図、図３は、ガードルを裏返して前部から見た図、図４は、着用状態の背面図である。
図１及び図３に示すように、本発明のガードルは、それぞれ伸縮性布を素材とする身生地から成る、腰部片１、腹部片２、及び、筒状の左右の脚部片３を有する。腰部片１の両側部と腹部片２の両側部とは縫合部１２を介して接合され、左右の脚部片３は股間を通り臀裂に沿う縫合部１３を介して接合される。また、腰部片１の下端と脚部片３の背部上端とは縫合部１４を介して接合され、腹部片２と脚部片３の前部上端とは縫合部１４に連続した縫合部１５を介して接合されている。
【０００９】
ガードルの背部に配置される腰部片１は、図１に示すように、臀部の膨らみの上方に配置され、その上縁がウェスト口の後部を構成し、その下縁は中央部が下方に長く延びて仙骨ａ（図４）の下端に達するようよう傾斜している。
また腰部片１は、伸縮布をウェスト口で折り返して２重に重ねて成り、その間において仙骨ａに相当する位置には、仙骨押さえ片４を挟み込んである。
仙骨押さえ片４は、図２に示すように、ガードルの身生地より厚いファイバーフィル等の布片５の内部両側に、背骨を挟むように平帯状のボーン６を縦方向に埋設して成る。
また、仙骨押さえ片４は、ガードルの大きさに合わせて、ガードルを装着する女性の仙骨より一回り大きくなるように、下端が頂点となる五角形に形成され、その下端部には他部分よりも肉厚の仙尾押さえ部７が設けられる。
【００１０】
ガードルの前部に配置される腹部片２は、図３に示すように、ウェスト口から股部に向かって次第に幅狭くなっており、素材となる伸縮性布の上端部を裏面に折り返してある。また、腹部片２の裏面にはパワーネット等を素材とする補整用の腹当て布８が取り付けられている。
さらに、腹部片２の裏側には、２本の伸縮ベルト９，９から成る腹部押さえ片１０が装着される。伸縮ベルト９，９は、ゴムベルト等より成り、ガードル本体の素材である伸縮性布よりも強い収縮力を有する。
伸縮ベルト９，９の上端は、腹部片２と腰部片１との縫合部１２に縫い込まれ、伸縮ベルト９，９の下端は腹部片２と脚部片３との縫合部１５に縫い込まれており、２本の伸縮ベルト９，９は左右対称となるよう斜めに傾斜して、丹田に相当する位置で交差している。丹田は仙骨ａとほぼ対向しているので、伸縮ベルト９，９の交差部分は仙骨押さえ片４と対向することになる。
【００１１】
脚部片３は、脚部、臀部及び脇部を覆う部材であって、伸縮性布を筒状に形成して成る。また、脚部片３の背部裏面には、緊迫力の強い緊迫ベルト１１が臀部の下部に沿って貼着され、ヒップアップ効果を発揮するようになっている。
このガードルを着用すると、図４に示すように、骨盤ｂの開閉の中心である仙骨ａを腹部押さえ片１０と仙骨押さえ片４とで前後から挟むように押さえるので、骨盤ｂが安定して開閉する。また、仙骨押さえ片４で仙骨ａ部分を暖めることもできる。さらに、仙骨ａの下端に位置し、女性器官へ通じる神経が集まっている仙尾ｃを肉厚の仙尾押さえ部７が押圧して刺激するので、女性機能を整える効果も期待できる。
なお、ガードルはショートタイプ或いはセミロングタイプであっても良く、腹部押さえ片は、緊迫力を強くした補整用の腹当て布とすることも可能である。
【図面の簡単な説明】
【００１２】
【図１】本発明の実施例を示すガードルの背部裏面図。
【図２】仙骨押さえ片の背面図。
【図３】本発明の実施例を示すガードルの前部裏面図。
【図４】本発明の実施例を示すガードルの着用状態における背面図。
【符号の説明】
【００１３】
１  腰部片
２  腹部片
３  脚部片
４  仙骨押さえ片
５  布片
６  ボーン
７  仙尾押さえ部
８  腹当て布
９  伸縮ベルト
１０  腹部押さえ片
１１  緊迫ベルト
１２，１３，１４，１５  縫合部
ａ  仙骨
ｂ  骨盤
ｃ  仙尾
【図１】
2008184704.tif 000003
【図２】
2008184704.tif 000004
【図３】
2008184704.tif 000005
【図４】
2008184704.tif 000006